(57)【特許請求の範囲】
【請求項１】
開口が形成された筺体と、
前記筺体内に配置され、虫を捕獲する表面、および、前記開口を覆う裏面を有するシート状の捕虫部材と、
前記裏面に形成されている突出部であって、前記裏面が前記開口を覆っている状態において、前記開口にて前記筺体の外側からつかむことが可能に配置された突出部とを備えていることを特徴とする捕虫装置。
【請求項２】
前記捕虫部材には、前記捕虫部材が前記表面を内側にして折れ曲がることを促す折り目が形成されていることを特徴とする請求項１に記載の捕虫装置。
【請求項３】
開口が形成された筺体と、
前記筺体内に配置され、虫を捕獲する表面、および、裏面を有するシート状の捕虫部材と、
前記捕虫部材に形成されている突出部であって、前記捕虫部材が前記筺体の内部に固定されている状態において、前記開口にて前記筺体の外側からつかむことが可能に配置された突出部と、
前記捕虫部材の表面を覆うためのカバーシートとを備えており、
前記カバーシートの一端は、前記表面、前記突出部における前記表面側、および前記表面と前記突出部との間、のうち少なくとも１箇所に固定されており、
前記筺体の外側から前記突出部を引くことによって、前記カバーシートが前記表面に貼り付くことを特徴とする捕虫装置。
【請求項４】
前記突出部は、前記裏面の一部によって構成されていることを特徴とする請求項１から３のいずれか１項に記載の捕虫装置。
【請求項５】
前記突出部は、前記裏面に対して取り付けられたものであることを特徴とする請求項１から３のいずれか１項に記載の捕虫装置。
【請求項６】
前記開口の内壁における前記捕虫部材側の端部が丸みを帯びていることを特徴とする請求項１から５のいずれか１項に記載の捕虫装置。
【請求項７】
請求項１から６のいずれか１項に記載の捕虫装置を備えていることを特徴とする空気処理装置。
【発明の詳細な説明】
【技術分野】
【０００１】
本発明は、捕虫装置、およびこの捕虫装置を備えた空気処理装置に関する。
【背景技術】
【０００２】
近年、大気中にＰＭ（Particulate Matter: 粒子状物質）２．５等のホコリ状物質が含まれる気象状況が増え、健康被害を防止する意識の向上から、一般家庭において空気清浄機が多用されている。また、梅雨がある日本など、多湿になり易い地域では、一般家庭やオフィス等において、除湿機が多用されている。また、世界的に、虫、特に蚊が媒介する感染症が増加しており、一般家庭等での捕虫器の要求も高まっている。【０００３】
一方、利便性の観点から、特許文献１に示すように、捕虫機能を備えた空気清浄機が提案されている。特許文献１に示されている構成では、吸気を行う吸込口と、吸込口から吸い込まれた空気を濾過する濾過フィルタとの間の通気経路に、虫を捕獲する捕虫部を設けている。これにより、特許文献１に示されている構成では、捕獲した虫の鱗粉または死骸の塵が外部に飛散することを防止することができる。
【先行技術文献】
【特許文献】
【０００４】
【特許文献１】国際公開番号ＷＯ２０１５／１１１２４６号公報（２０１５年７月３０日公開）
【発明の概要】
【発明が解決しようとする課題】
【０００５】
特許文献１に示されている構成では、捕虫部を交換すべく捕虫部を捕虫ユニットの筺体から取り外す際に、捕虫部にて捕獲された虫等が見えてしまう。この結果、特許文献１に示されている構成では、ユーザによっては、不快感を与える虞があるということが懸念される。【０００６】
本発明は、上記の課題に鑑みて為されたものであり、その目的は、捕虫部を交換する際に、ユーザに対して不快感を与えない捕虫装置、およびこの捕虫装置を備えた空気処理装置を提供することにある。
【課題を解決するための手段】
【０００７】
上記の課題を解決するために、本発明の一態様に係る捕虫装置は、開口が形成された筺体と、前記筺体内に配置され、虫を捕獲する表面、および、前記開口を覆う裏面を有するシート状の捕虫部材と、前記裏面に形成されている突出部であって、前記裏面が前記開口を覆っている状態において、前記開口にて前記筺体の外側からつかむことが可能に配置された突出部とを備えていることを特徴としている。【０００８】
上記の課題を解決するために、本発明の別の態様に係る捕虫装置は、開口が形成された筺体と、前記筺体内に配置され、虫を捕獲する表面、および、裏面を有するシート状の捕虫部材と、前記捕虫部材に形成されている突出部であって、前記捕虫部材が前記筺体の内部に固定されている状態において、前記開口にて前記筺体の外側からつかむことが可能に配置された突出部と、前記捕虫部材の表面を覆うためのカバーシートとを備えており、前記カバーシートの一端は、前記表面、前記突出部における前記表面側、および前記表面と前記突出部との間、のうち少なくとも１箇所に固定されており、前記筺体の外側から前記突出部を引くことによって、前記カバーシートが前記表面に貼り付くことを特徴としている。
【発明の効果】
【０００９】
本発明の各態様によれば、捕虫部を交換する際に、ユーザに対して不快感を与えないという効果を奏する。
【図面の簡単な説明】
【００１０】
【図１】本発明の実施の形態１の空気処理装置を適用した空気清浄機の外観を示す斜視図である。
【図２】図１に示した空気清浄機の縦断面図である。
【図３】図１に示したカバー部材を内側から見た場合の斜視図である。
【図４】（ａ）は突出部の一例の斜視図であり、（ｂ）は突出部の第１変形例の斜視図であり、（ｃ）は突出部の第２変形例の斜視図であり、（ｄ）は（ｃ）の構造の実現例に係る捕虫シートの断面図である。
【図５】図３のＡ−Ａ線矢視断面図である。
【図６】図２に示した空気清浄機の、開口および突出部ならびにその近傍を詳細に示す図である。
【図７】図６に示した状態において、カバー部材の外側から突出部を引いた状態を示す図である。
【図８】図７に示した状態において、カバー部材の外側から突出部を引いた状態を示す図である。
【図９】図３に対する変形例の斜視図である。
【図１０】本発明の実施の形態２の空気処理装置を適用した空気清浄機の外観を示す斜視図である。
【図１１】図１０に示した空気清浄機の蓋部の変形例を示す斜視図である。
【図１２】本発明の実施の形態３の空気処理装置を適用した空気清浄機の縦断面図である。
【図１３】図１２に示した空気清浄機の、開口および突出部ならびにその近傍を詳細に示す図であり、図１２に示した状態において、カバー部材の外側から突出部を引いた状態を示している。
【発明を実施するための形態】
【００１１】
本発明を実施するための形態について、図１〜図１３を参照して説明する。
【００１２】
〔実施の形態１〕
本発明の実施の形態１を図面に基づいて以下に説明する。本実施の形態では、一例として、本発明の空気処理装置を空気清浄機に適用した場合について説明する。図１は、本実施の形態の空気清浄機の外観を示す斜視図である。図２は、図１に示した空気清浄機の縦断面図である。なお、以下に示す各図において、白抜きの矢印は空気の流れを示している。
【００１３】
（空気清浄機の外部構造）
図１に示すように、空気清浄機１は、例えば居室等の床面に設置する構造であり、横断面が略楕円形の本体部筺体２、およびカバー部材３を有している。本体部筺体２およびカバー部材３は、空気清浄機１の筺体を構成している。カバー部材３は、本体部筺体２の背面側に着脱可能に取り付けられている。カバー部材３の内面には、表面に粘着面を有する捕虫シート（捕虫部材）３１が貼り付けられている。本体部筺体２の背面およびカバー部材３の外面の色は黒色となっている。黒色等の暗色は蚊等の虫が好む色であり、本体部筺体２の背面およびカバー部材３の外面の色を暗色にすることにより、虫をカバー部材３の近傍に容易に誘引できるようにしている。
【００１４】
本体部筺体２の上面の周縁部には透明な樹脂から成るスリーブ部１２が設けられ、本体部筺体２の上面前部には操作部６が設けられている。操作部６は複数のボタン（不図示）を有し、使用者が上記ボタンを操作して空気清浄機１の動作設定を行う。例えば、空気清浄機１の動作のオンオフ、後述する送風機１０の風量の変更、後述する放電装置１１のオンオフ等の動作設定を行う。
【００１５】
カバー部材３および後述する取付板３４に亘って、開口２０１が形成されている。開口２０１は、捕虫シート３１と重なる位置に形成されており、捕虫シート３１の中央部にて開口している。開口２０１は、平面視矩形の開口形状であり、開口２０１の横幅は、捕虫シート３１の横幅よりも大きくなっている。さらに、捕虫シート３１には、突出部２０２が形成されている。突出部２０２は、カバー部材３の内側から、開口２０１を通って延びている。このため、ユーザは、開口２０１にてカバー部材３の外側から突出部２０２をつかむことが可能である。
【００１６】
（空気清浄機の内部構造）
図１および図２に示すように、カバー部材３には複数の吸込口（空気吸込口）４が形成され、本体部筺体２の背面には流入口２０が形成されている。カバー部材３と本体部筺体２の背面との間には捕虫空間（空気の流路）２５が形成され、カバー部材３の吸込口４と本体部筺体２の流入口２０とは捕虫空間２５を介して連通している。なお、図１では、カバー部材３の吸込口４から本体部筺体２の吸込口４の一部が見えている状態を示している。
【００１７】
図２に示すように、本体部筺体２の上面には吹出口（空気吹出口）５が形成されている。本体部筺体２の内部には送風通路７が形成され、吸込口４と吹出口５とは、捕虫空間２５、流入口２０および送風通路７を介してつながっている。
【００１８】
送風通路７内には流入口２０から吹出口５に向かって、すなわち風の流れの上流から下流に向かって、プレフィルタ（空気処理部）８、ＨＥＰＡフィルタ（空気処理部）９、送風機１０および放電装置（空気処理部）１１が設けられている。
【００１９】
送風機１０は、軸方向に吸気して周方向に排気する遠心ファンであり、本体部筺体２の下部に設けられている。送風機１０は、モータ１０ａとモータ１０ａの回転軸に取り付けられた羽根車１０ｂとを有する。空気清浄機１では、送風機１０を本体部筺体２の下部に配置することにより、本体部筺体２の上下方向の長さを長くすることなく、送風機１０が形成する気流の流路面積を徐々に広げることができる。送風機１０は、操作部６の操作により例えば「微」、「弱」、「中」および「強」の複数の送風レベルに設定できる。なお、送風機１０は、軸流ファンであってもよい。
【００２０】
プレフィルタ８は、ＡＢＳ等の合成樹脂で形成された複数段複数列の窓を有する矩形の枠にポリプロピレン製のメッシュを溶着して形成されている。メッシュの目の大きさは蚊やハエ等の虫が通過できない大きさに形成されている。プレフィルタ８は空気中の大きな塵埃を捕集する。
【００２１】
ＨＥＰＡフィルタ９は、濾材９ａを覆うように枠材９ｂがホットメルトにより溶着されている。ＨＥＰＡフィルタ９によってＰＭ２．５等の微小粒子状物質を含む空気中の微細な塵埃を捕集することができる。なお、活性炭等の吸着材を有する脱臭フィルタをプレフィルタ８とＨＥＰＡフィルタ９との間に配置してもよい。この場合には、空気中の臭気成分を吸着して空気を脱臭することができる。
【００２２】
放電装置１１は、高電圧の印加によりコロナ放電を行う電極（不図示）を有し、電極は送風通路７内に面している。当該放電によりイオン、電子、ラジカルやオゾン等の活性種を発生させる。なお、イオンは、プラスイオンのみであってもよいし、マイナスイオンのみであってもよいし、または両イオン共にであっても構わない。本実施の形態における電極には交流波形またはインパルス波形を有する電圧が印加される。電極の印加電圧が正電圧の場合はプラスイオンを発生し、負電圧の場合はマイナスイオンを発生する。放電装置１１がプラスイオンおよびマイナスイオンを発生して吹出口５から送出することにより、居室内の除菌および除臭を行う。
【００２３】
（カバー部材および捕虫シート）
図３は、カバー部材３を内面側（本体部筺体２側）から見た場合の斜視図である。図４の（ａ）は突出部の一例の斜視図であり、図４の（ｂ）は突出部の第１変形例の斜視図であり、図４の（ｃ）は突出部の第２変形例の斜視図であり、図４の（ｄ）は図４の（ｃ）の構造の実現例に係る捕虫シートの断面図である。なお、図４の（ａ）〜（ｃ）については、各例の対比を簡潔に示すため、裏面３１Ｒの構造のみを示している。図５は、図３のＡ−Ａ線矢視断面図である。カバー部材３は、例えば、本体部筺体２に設けられた係合孔（不図示）に係合する係合片（不図示）を有し、本体部筺体２に対して着脱可能となっている。カバー部材３は、後方に凸になるように湾曲し、左右の両端部に複数（本実施形態では５個）の吸込口４が上下に並設されている。なお、吸込口４は１個でもよい。
【００２４】
捕虫シート３１は、例えば基材シート３２の一面に粘着剤３３を配した構成であり、取付板３４上に貼着または係合部（不図示）により係合されている。取付板３４を設けず、捕虫シート３１が、カバー部材３に直接貼着または直接係合部（不図示）により係合されていてもよい。捕虫シート３１は、厚紙程度の硬さであってもよいし、それより軟らかくてもよい。また、取付板３４には、開口２０１の一部である開口２０４が形成されている。捕虫シート３１および取付板３４は黒色である。基材シート３２は例えば紙や樹脂フィルム等により形成されている。粘着剤３３は、特に限定はされないが、例えばアクリル系の粘着剤を用いることができる。
【００２５】
なお、粘着剤３３は水溶性であってもよい。水溶性の粘着剤３３の材質としては例えばデキストリン、ポリビニルアルコール、ポリビニルピロリドン、デンプンやアラビアゴム等を挙げることができる。これにより、カバー部材３を本体部筺体２から取り外し、虫や塵埃等が付着した粘着剤３３の表面を水等で洗い流すことができる。したがって、捕虫シート３１の交換頻度を少なくすることができる。
【００２６】
また、捕虫シート３１および取付板３４は黒色等の暗色にしているのは、虫を捕虫シート３１に容易に誘引できるようにするためである。
【００２７】
捕虫シート３１は、表面３１Ｆおよび裏面３１Ｒを有しているシート状の部材である。表面３１Ｆは、粘着面として機能し、虫を捕獲する。一方、裏面３１Ｒは、取付板３４上（取付板３４を設けない場合、カバー部材３）に貼着または係合部（不図示）により係合されており、開口２０１を覆っている。
【００２８】
また、捕虫シート３１の裏面３１Ｒには、突出部２０２が形成されている。突出部２０２は、裏面３１Ｒの一部を加工して形成されたものであっても（裏面の一部によって構成されていても）よいし、裏面３１Ｒに対して（捕虫シート３１とは別部材として）取り付けられたものであってもよい。但し、突出部２０２の捕虫シート３１に対する固定強度を考慮すると、突出部２０２は、裏面３１Ｒの一部を加工して形成されたものであることがより好ましい。
【００２９】
図４の（ａ）に示すように、裏面３１Ｒの中央付近にコの字型の切り込み２１４を入れ、この切り込み２１４に従って裏面３１Ｒの一部を立てて突出部２０２とすることが考えられる。
【００３０】
また、突出部２０２の第１変形例として、図４の（ｂ）に示すように、裏面３１Ｒの中央付近に縦長のＵ字型の切り込み２１４Ａを入れ、この切り込み２１４Ａに従って裏面３１Ｒの一部を立てて突出部２０２Ａとすることが考えられる。
【００３１】
また、突出部２０２の第２変形例として、図４の（ｃ）に示すように、裏面３１Ｒに対して取り付けられた突出部２０２Ｂを適用することが考えられる。突出部２０２Ｂは例えば、ポリプロピレン等の樹脂によって構成されている。この場合、突出部２０２Ｂは、図４の（ｄ）に示すように、端部にＴ字部２１５が形成されており、このＴ字部２１５が基材シート３２と粘着剤３３とによって挟まれて固定されている。
【００３２】
また、捕虫シート３１には、捕虫シート３１が表面３１Ｆを内側にして折れ曲がることを促す折り目２０３が形成されている。折り目２０３が形成されていることにより、捕虫シート３１は、表面３１Ｆを内側にして折り曲げ易くなっている。また、図３によれば、開口２０１と折り目２０３とが重なり合っている。この場合、開口２０１と捕虫シート３１における折り曲げ部分とが重なり合うため、折り曲げられた捕虫シート３１が開口２０１をスムーズに通ることができる。
【００３３】
カバー部材３に対する取付板３４の取り付けは、例えば次のようにして行われている。図３に示すように、取付板３４の四隅（少なくとも上側の二四隅）に係合孔３４ａを形成し、カバー部材３の内面の上部に、左右一対の鉤状の係合片（不図示）を突出状態に設け、カバー部材３の内面の下部に、取付板３４を挿入する溝（不図示）を有した正面視Ｌ字状の左右一対の支持部３４ｂを設ける。
【００３４】
これにより、取付板３４の係合孔３４ａをカバー部材３の係合片に係合させ、取付板３４の下端部の左右端部を支持部３４ｂに載置して、取付板３４すなわち捕虫シート３１をカバー部材３に対して、着脱可能に取り付けることができる。この場合、捕虫シート３１はプレフィルタ８に対向する。取付板３４を設けない場合は、カバー部材３に対する取付板３４の取り付けと同様の要領で、カバー部材３に対して捕虫シート３１の基材シート３２を取り付ける。
【００３５】
なお、捕虫空間２５（図２参照）には、誘引光源２１が設けられていてもよい。誘引光源２１は、蚊等の虫を誘引する約３６５ｎｍの紫外線を出射する例えば紫外線発光ダイオードである。誘引光源２１を設けることにより、蚊等の虫を捕虫空間２５に誘引し易くなる。
【００３６】
また、カバー部材３の内面（図３参照）には虫を誘引する臭気物質を発生するニオイ発生部２２が設けられていてもよい。臭気物質は、特に限定されないが、例えば乳酸を挙げることができる。ニオイ発生部２２を設けることにより、蚊等の虫を捕虫空間２５に誘引し易くなる。なお、ニオイ発生部２２の設置場所は、捕虫空間２５内であれば、カバー部材３の内面に限定されず、例えば本体部筺体２の背面であってもよい。
【００３７】
また、捕虫シート３１の基材シート３２に臭気物質を含有させてニオイ発生部を形成してもよい。また、基材シート３２上に粘着剤３３と臭気物質とを千鳥模様や縞模様になるように隣接して塗布し、ニオイ発生部を形成してもよい。また、捕虫シート３１の粘着剤３３に臭気物質を含有させてニオイ発生部を形成してもよい。すなわち、捕虫シート３１に臭気物質を設けてニオイ発生部を形成してもよい。また、取付板３４に臭気物質を塗布してニオイ発生部を形成してもよい。
【００３８】
（空気清浄機の通常動作）
上記の構成において、空気清浄機１の通常動作について説明する。空気清浄機１が運転を開始すると、送風機１０の動作により、吸込口４、捕虫空間２５、流入口２０、プレフィルタ８、ＨＥＰＡフィルタ９、送風通路７、放電装置１１および吹出口５の順路での風の流れが生じる。この場合、プレフィルタ８は、空気中の大きな塵埃を除去する。ＨＥＰＡフィルタ９は、ＰＭ２．５等を含む空気中の微細な塵埃を除去する。放電装置１１は、空気中にイオンを付与する。したがって、プレフィルタ８およびＨＥＰＡフィルタ９により浄化され、放電装置１１にてイオンが付与された空気が、吹出口５から居室内へ送出される。
【００３９】
（空気清浄機の捕虫動作）
次に、空気清浄機１の捕虫動作について説明する。空気清浄機１付近にいた蚊は、吸込口４への空気の流れに伴って、吸込口４から捕虫空間２５へ入り込む。この場合、捕虫シート３１を、例えばヒータ（不図示）を用いて蚊を誘引する温度に加熱することによって、捕虫空間２５に入り込んだ蚊は、捕虫シート３１の熱に誘引されて捕虫シート３１により容易に捕虫される。
【００４０】
（捕虫シートの交換）
ここからは、捕虫シート３１を交換する要領について、図６〜図８を参照して説明する。図６は、図２に示した空気清浄機１の、開口２０１および突出部２０２ならびにその近傍（すなわち、図２の領域Ｊ）を詳細に示す図である。図７は、図６に示した状態において、カバー部材３の外側から突出部２０２を引いた状態を示す図である。図８は、図７に示した状態において、カバー部材３の外側から突出部２０２を引いた状態を示す図である。なお、以下に示す各図において、黒の矢印は突出部２０２を引く方向を示している。
【００４１】
捕虫シート３１の交換に際して、ユーザは、図６〜図８に示すように、カバー部材３の外側から突出部２０２を引く。これにより、捕虫シート３１は、開口２０１を通じてカバー部材３の外側に引き出される。捕虫シート３１の基材シート３２が取付板３４（またはカバー部材３）に係合されている場合、突出部２０２を引っ張ることによって係合が弱まり、捕虫シート３１は取付板３４（またはカバー部材３）から外れる。さらにこのとき、捕虫シート３１は、例えば折り目２０３（図３参照）にて表面３１Ｆを内側にして折れ曲がる。これにより、カバー部材３の外側に引き出された捕虫シート３１においては、表面３１Ｆに表面３１Ｆ自身が貼り付いており、ユーザには表面３１Ｆが見えないようになっている。
【００４２】
空気清浄機１によれば、捕虫シート３１を交換すべく捕虫シート３１をカバー部材３から取り外す際に、捕虫シート３１によって捕獲された虫等が見えない。この結果、空気清浄機１によれば、ユーザに対して不快感を与えない。
【００４３】
ここで、図６〜図８に示すように、開口２０１の内壁は、仮想の円２０５に基づいて、縦断面視において円弧状に丸められている（いわゆる、Ｒが形成されている）。そしてこれにより、開口２０１の内壁における捕虫シート３１側の端部が丸みを帯びている。これにより、捕虫シート３１が引き出される際に、捕虫シート３１が同端部を滑ることができるので、捕虫シート３１が同端部に引っかかることを防ぐことができる。
【００４４】
また、上述したとおり、開口２０１は、捕虫シート３１の中央部にて開口している。これにより、捕虫シート３１を折り曲げたときに、表面３１Ｆの一端が表面３１Ｆの他端に届く。結果、表面３１Ｆの端部に表面３１Ｆ自身が貼り付くことができるので、捕虫シート３１の端部にて捕獲された虫等を見えなくすることができる。
【００４５】
（開口形状）
なお、空気清浄機１において開口２０１は、平面視矩形の開口形状とした。しかしながら、本発明に係る開口は、平面視丸形の開口形状、平面視各種多角形の開口形状等、他の開口形状に形成されていてもよい。すなわち、捕虫シート３１が開口２０１を通ることができるのであれば、開口２０１の開口形状は問わない。
【００４６】
また、空気清浄機１において折り目２０３は、一直線の折り目とした。しかしながら、本発明に係る折り目は、捕虫シート３１が表面３１Ｆを内側にして折れ曲がることを促す種々の形状を適用することができる。
【００４７】
図９は、図３に対する変形例の斜視図である。図９において、カバー部材３Ｃには、平面視円形の開口形状である開口２０１Ａが形成されており、捕虫シート３１には、折り目２０３Ａが形成されている。折り目２０３Ａは、開口２０１Ａと重なる部分から、放射状に八方に延びている。なお、折り目２０３Ａは、八方に延びるものに限らず、捕虫シート３１の対角線状に四方に延びるものであってもよい。
【００４８】
〔実施の形態２〕
本発明の実施の形態２を図面に基づいて以下に説明する。図１０は、本発明の実施の形態２の空気処理装置を適用した空気清浄機の外観を示す斜視図である。以下では、説明を簡潔にするために、図１０に示す空気清浄機１Ａについて、図１に示す空気清浄機１と異なる構成のみを説明する。
【００４９】
図１０に示す空気清浄機１Ａは、カバー部材３の代わりにカバー部材３Ａを備えている点が、図１に示す空気清浄機１と異なっている。また、カバー部材３Ａは、カバー部材３の構成に加え、カバー部材３Ａの外側から開口２０１を閉じる蓋部２０６を有している点が、カバー部材３と異なっている。蓋部２０６には、取っ手２０７が形成されている。ユーザは、取っ手２０７を持って、蓋部２０６によって開口２０１を容易に開閉することができる。
【００５０】
図１１は、蓋部２０６の変形例である蓋部２０８を示す斜視図である。蓋部２０８には、凹部２０９と、凹部２０９から突出して形成された取っ手２１０とが形成されている。ユーザは、取っ手２１０を持って、蓋部２０８によって開口２０１を容易に開閉することができる。
【００５１】
蓋部２０６または蓋部２０８によって開口２０１を閉じることにより、開口２０１および突出部２０２がユーザから見えなくなるので、意匠性を向上させることができる。
【００５２】
〔実施の形態３〕
（空気清浄機の構成）
本発明の実施の形態３を図面に基づいて以下に説明する。図１２は、本発明の実施の形態３の空気処理装置を適用した空気清浄機の縦断面図である。以下では、説明を簡潔にするために、図１２に示す空気清浄機１Ｂについて、図１に示す空気清浄機１と異なる構成のみを説明する。
【００５３】
図１２に示す空気清浄機１Ｂは、カバー部材３の代わりにカバー部材３Ｂを備えている点が、図１に示す空気清浄機１と異なっている。また、カバー部材３Ｂは、以下に説明する点が、カバー部材３と異なっている。
【００５４】
カバー部材３Ｂには、開口２１１が形成されている。開口２１１は、捕虫シート３１の上方に形成されている。開口２１１は、カバー部材３Ｂ内の捕虫シート３１に形成される突出部２１２が通ることができるサイズに形成されている。さらに、捕虫シート３１の上端には、突出部２１２が形成されている。突出部２１２は、カバー部材３Ｂの内側から、開口２１１を通って延びている。このため、ユーザは、開口２１１にてカバー部材３Ｂの外側から突出部２１２をつかむことが可能である。
【００５５】
また、空気清浄機１Ｂにおいては、カバーシート２１３の一端が、表面３１Ｆおよび突出部２１２における表面３１Ｆ側に亘って固定されている。なお、カバーシート２１３の一端は、表面３１Ｆと突出部２１２における表面３１Ｆ側とのいずれか一方のみに固定されていてもよい。また、表面３１Ｆと突出部２１２とが離間されている場合、カバーシート２１３の一端は、表面３１Ｆと突出部２１２との間に固定されていてもよい。図１２において、カバーシート２１３は、カバーシート２１３の他端から順に巻かれたロール状に設けられている。このとき、カバーシート２１３におけるロール状の部分は、芯（不図示）に巻かれて保持されていてもよいし、曲げ形状を記憶し易いカバーシート２１３であれば芯に巻かれていない状態で保持されていることも考えられる。カバーシート２１３は、補虫シート３１の表面３１Ｆを覆った場合に剥離しない程度の剥離剤が塗布されたフィルム等であればよい。また、必ずしも剥離剤を塗布する必要はない。
【００５６】
（捕虫シートの交換）
ここからは、捕虫シート３１を交換する要領について、図１３を参照して説明する。図１３は、図１２に示した空気清浄機の、開口および突出部ならびにその近傍（すなわち、図１２の領域Ｋ）を詳細に示す図であり、図１２に示した状態において、カバー部材の外側から突出部を引いた状態を示している。
【００５７】
捕虫シート３１の交換に際して、ユーザは、図１３に示すように、カバー部材３Ｂの外側から突出部２１２を引く。これにより、捕虫シート３１は、開口２１１を通じてカバー部材３Ｂの外側に引き出される。さらにこのとき、カバーシート２１３の一端が開口２１１の壁に引っかかり、これにより、カバーシート２１３が表面３１Ｆに貼り付く。これにより、カバー部材３Ｂの外側に引き出された捕虫シート３１においては、表面３１Ｆにカバーシート２１３が貼り付いており、ユーザには表面３１Ｆが見えないようになっている。
【００５８】
空気清浄機１Ｂによれば、捕虫シート３１を交換すべく捕虫シート３１をカバー部材３Ｂから取り外す際に、捕虫シート３１によって捕獲された虫等が見えない。この結果、空気清浄機１Ｂによっても、ユーザに対して不快感を与えない。
【００５９】
（実施の形態１および２に係る各構成との組み合わせ）
突出部２１２そのものの構成は、突出部２０２、突出部２０２Ａ、または突出部２０２Ｂ（図４参照）そのものの構成と同様であってもよい。また、開口２０１（図６参照）と同様に、開口２１１は、開口２１１の内壁における捕虫シート３１側の端部が丸みを帯びていてもよい。さらに、カバー部材３Ｂは、カバー部材３Ｂの外側から開口２１１を閉じる蓋部（図１０および図１１参照）を有していてもよい。
【００６０】
〔まとめ〕
本発明の態様１に係る捕虫装置は、開口が形成された筺体（本体部筺体２およびカバー部材３）と、前記筺体内に配置され、虫を捕獲する表面、および、前記開口を覆う裏面を有するシート状の捕虫部材（捕虫シート３１）と、前記裏面に形成されている突出部であって、前記裏面が前記開口を覆っている状態において、前記開口にて前記筺体の外側からつかむことが可能に配置された突出部とを備えている。
【００６１】
上記の構成によれば、捕虫部材の交換に際して、ユーザは、筺体の外側から突出部を引く。これにより、捕虫部材は、開口を通じて筺体の外側に引き出される。さらにこのとき、捕虫部材は、表面を内側にして折れ曲がる。これにより、筺体の外側に引き出された捕虫部材においては、捕虫部材の表面に捕虫部材の表面自身が貼り付いており、ユーザには捕虫部材の表面が見えないようになっている。
【００６２】
上記の構成によれば、捕虫部材を交換すべく捕虫部材を筺体から取り外す際に、捕虫部材によって捕獲された虫等が見えない。この結果、上記の構成によれば、ユーザに対して不快感を与えない。
【００６３】
本発明の態様２に係る捕虫装置は、上記態様１において、前記捕虫部材には、前記捕虫部材が前記表面を内側にして折れ曲がることを促す折り目が形成されている。
【００６４】
上記の構成によれば、折り目によって、捕虫部材が表面を内側にして折れ曲がることが促されるので、捕虫部材の表面に捕虫部材の表面自身が貼り付く状態を容易に実現することができる。
【００６５】
本発明の態様３に係る捕虫装置は、開口が形成された筺体と、前記筺体内に配置され、虫を捕獲する表面、および、裏面を有するシート状の捕虫部材と、前記捕虫部材に形成されている突出部であって、前記捕虫部材が前記筺体の内部に固定されている状態において、前記開口にて前記筺体の外側からつかむことが可能に配置された突出部と、前記捕虫部材の表面を覆うためのカバーシートとを備えており、前記カバーシートの一端は、前記表面、前記突出部における前記表面側、および前記表面と前記突出部との間、のうち少なくとも１箇所に固定されており、前記筺体の外側から前記突出部を引くことによって、前記カバーシートが前記表面に貼り付く。
【００６６】
上記の構成によれば、捕虫部材の交換に際して、ユーザは、筺体の外側から突出部を引く。これにより、捕虫部材は、開口を通じて筺体の外側に引き出される。さらにこのとき、カバーシートの一端が開口の壁に引っかかり、これにより、カバーシートが捕虫部材の表面に貼り付く。これにより、筺体の外側に引き出された捕虫部材においては、捕虫部材の表面にカバーシートが貼り付いており、ユーザには捕虫部材の表面が見えないようになっている。
【００６７】
上記の構成によれば、捕虫部材を交換すべく捕虫部材を筺体から取り外す際に、捕虫部材によって捕獲された虫等が見えない。この結果、上記の構成によれば、ユーザに対して不快感を与えない。
【００６８】
本発明の態様４に係る捕虫装置は、上記態様１から３のいずれかにおいて、前記突出部は、前記裏面の一部によって構成されている。
【００６９】
上記の構成によれば、捕虫部材の裏面の一部を加工して、突出部を形成することができる。
【００７０】
本発明の態様５に係る捕虫装置は、上記態様１から３のいずれかにおいて、前記突出部は、前記裏面に対して取り付けられたものである。
【００７１】
上記の構成によれば、捕虫部材の裏面に対して突出部を取り付けることにより、捕虫部材とは別部材として、突出部を形成することができる。
【００７２】
本発明の態様６に係る捕虫装置は、上記態様１から５のいずれかにおいて、前記開口の内壁における前記捕虫部材側の端部が丸みを帯びている。
【００７３】
上記の構成によれば、捕虫部材が引き出される際に、捕虫部材が開口の内壁における捕虫部材側の端部を滑ることができるので、捕虫部材が同端部に引っかかることを防ぐことができる。
【００７４】
本発明の態様７に係る捕虫装置は、上記態様１から６のいずれかにおいて、前記筺体は、前記筺体の外側から前記開口を閉じる蓋部を有している。
【００７５】
上記の構成によれば、蓋部によって開口を閉じることにより、開口および突出部がユーザから見えなくなるので、意匠性を向上させることができる。
【００７６】
本発明の態様８に係る空気処理装置は、上記態様１から７のいずれかの捕虫装置を備えている。
【００７７】
上記の構成によれば、空気清浄機や除湿機等の空気処理装置において、上記捕虫装置と同様の効果が得られる。
【００７８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７９】
１、１Ａ、１Ｂ  空気清浄機
２  本体部筺体（筺体）
３、３Ａ、３Ｂ、３Ｃ  カバー部材（筺体）
４  吸込口
５  吹出口
６  操作部
７  送風通路
８  プレフィルタ
９  ＨＥＰＡフィルタ
１０  送風機
１１  放電装置
１２  スリーブ部
２０  流入口
２１  誘引光源
２２  ニオイ発生部
２５  捕虫空間
３１  捕虫シート（捕虫部材）
３１Ｆ  表面
３１Ｒ  裏面
３２  基材シート
３３  粘着剤
３４  取付板
２０１、２０１Ａ、２１１  開口
２０２、２０２Ａ、２０２Ｂ、２１２  突出部
２０３、２０３Ａ  折り目
２０４  開口
２０５  円
２０６、２０８  蓋部
２０７、２１０  取っ手
２０９  凹部
２１３  カバーシート
２１４、２１４Ａ  切り込み
２１５  Ｔ字部
【図１】
0006740351.tif 000002
【図２】
0006740351.tif 000003
【図３】
0006740351.tif 000004
【図４】
0006740351.tif 000005
【図５】
0006740351.tif 000006
【図６】
0006740351.tif 000007
【図７】
0006740351.tif 000008
【図８】
0006740351.tif 000009
【図９】
0006740351.tif 000010
【図１０】
0006740351.tif 000011
【図１１】
0006740351.tif 000012
【図１２】
0006740351.tif 000013
【図１３】
0006740351.tif 000014